(57)【特許請求の範囲】
【請求項１】
複数枚の板体（１）を、間隔を保って立設し、前記板体のうち最前の板体（１）の表側の面または最前の板体（１）の前方の空間をもって慰霊空間（Ｇ）を形成し、前記慰霊空間（Ｇ）には慰霊対象（３）を備え、前記複数枚の板体（１）のうち、少なくとも一枚を移動して慰霊対象（３）を隠すことによってインテリアとしても利用できることを特徴とする仏壇。
【請求項２】
前記板体（１）のうち少なくとも一枚は、上方から見て前後方向に湾曲していることを特徴とする請求項１記載の仏壇。
【請求項３】
前記板体（１）は、立設を補助する支持具を備えていることを特徴とする請求項１又は２記載の仏壇。
【請求項４】
前記板体（１）の面には、装飾、模様又は色彩もしくはこれらの組み合わせを施していることを特徴とする請求項１、２又は３記載の仏壇。
【発明の詳細な説明】
【技術分野】
【０００１】
本発明は、神仏を拝礼するための仏壇又は祭壇に関するものである。
【背景技術】
【０００２】
古来より、日本では仏を敬うという伝統的習慣があり、仏壇は仏を安置する収納具として用いられてきた。従来の仏壇は、装飾の施された大きな箱体に、御本尊や位牌等の慰霊対象を安置しておくものであり、部屋の一角に形成された仏間等に設置されてきた。一般的に仏壇を設置するには広い設置空間が必要であるが、近年の住宅事情により仏壇を設置する空間を確保できない家庭が多くなってきている。このため、設置空間をそれほど必要としない仏壇を望む声が多く、これらの要望に対し小型又は簡易型等の仏壇が提案されてきた。例えば、特開２００４−１１３７４２号公報では、持ち運び可能な小型の箱型仏壇が開示されており、特開２００６−２５５２２２号公報では、壁掛け型の簡易仏壇が開示されている。
【特許文献１】特開２００４−１１３７４２号公報
【特許文献２】特開２００６−２５５２２２号公報
【０００３】
また、従来の仏壇は、その形状や装飾等により厳粛感や荘厳感を醸し出しているが、住環境の変化または生活様式や趣向が多様化した現代においては、住居空間と調和しない場合が多くなってきている。しかも、従来の仏壇に限らず前記文献やこれまで提案された仏壇においても、住居空間と十分に調和が図れるものは存在しなかった。
【０００４】
さらに、上記した仏壇の設置空間や住居空間との調和等の問題に起因し、最近では、仏壇の常設的な使用を求めず、使用時のみ仏壇としての機能が得られればよいという要望も多くなってきている。
【発明の開示】
【発明が解決しようとする課題】
【０００５】
そこで本発明は前記事情に基づいてなされたものであり、小型化および構成の簡素化を実現し、移動や収納を容易に行うことができると共に、慰霊空間を簡便に構築でき、しかも様々な住居空間に調和させることができるものであって、従来の仏壇の概念に囚われない斬新な形態の仏壇を提供することを目的とする。
【課題を解決するための手段】
【０００６】
上記目的を達成するために、本発明のうち請求項１記載の発明は、複数枚の板体を、間隔を保って立設し、板体のうち最前の板体の表側の面または最前の板体の前方の空間をもって慰霊空間を形成し、この慰霊空間に慰霊対象を備え、前記複数枚の板体のうち、少なくとも一枚を移動して慰霊対象を隠すことによってインテリアとしても利用できることを特徴とする。
【０００７】
このように形成すると、拝礼態勢が整うと共に、仏壇の小型化および構成の簡素化を実現でき、移動性や収納性においても優れることとなる。
【０００８】
ここで、板体の枚数については、特に限定しないが、一般的に２〜３枚が好ましい。また、板体の材質は、例えば金属・プラスチック・木材など、特に限定されるものではない。また、不透明または透明もしくは半透明の素材や透光性または不透光性の素材であっても構わない。
【０００９】
板体の面の向き及び全体的な板体の配置位置は、住居空間または慰霊対象に応じて適切に設定する。例えば、個々の板体の面の向きについては、前方に向けてよいし、斜めに向けてもよい。また、複数の板体の面の向きを同一方向にそろえる必要はなく、それぞれ異なった向きとしてもよい。また、板体の配置間隔を含め、全体的な板体の配置位置は設置環境や使用者の趣向等に応じて好適に決定される。
【００１０】
慰霊対象については、ご本尊、位牌、写真、唱名（例えば、浄土真宗の「南無阿弥陀仏」）若しくは題目（例えば、日蓮宗の「南無妙法蓮華経」）等を採用することができる。これらの備え方に関しては、慰霊対象に応じて、板体の前面に配置したり、板体に取り付けたり、または板体に直接描写することができる。なお、慰霊対象を板体に取り付ける場合には、接着やねじ等により固定させてもよいし、掛置き式又は面ファスナー等により着脱可能とすることもできる。
【００１１】
仏壇として使用しない場合には、簡便に仕舞うことができるが、前記複数枚の板体のうち、少なくとも一枚を移動して慰霊対象等を隠すことによって、インテリアとしても利用ができる。
【００１２】
これによると、少なくとも一枚の板体を慰霊対象および仏具の直前に移動させることによって、正面からは慰霊対象等が隠れた状態となり、恰もインテリアやオブジェのように見えるようになる。このため、インテリア等としても使用することが可能となる。ここで、慰霊対象が取り付けてある板体にあっては、その取り付けられた面を後側に向けておく。なお、慰霊対象等の隠し方については、上記のものに限らず、板体の背後に慰霊対象を移動させて隠しても構わない。
【００１３】
前記板体の形状は特に限定されるものではなく、例えば上方から見た形状として直線形状（平板）、湾曲形状または屈曲形状等であるものを採用することができ、また正面形状として方形、略半円形または略楕円形等を採用することができるが、請求項２記載の発明のように、前記板体のうち、少なくとも一枚は、上方から見て前後方向に湾曲している形状にすれば、板体の立設が安定すると共に、仏壇としての見栄えも良好になる。また、慰霊対象等を隠した状態においては、隠された慰霊対象は、正面方向だけではなく、ある程度左右からも見えなくなり、隠れる範囲が広がる。しかもインテリアやオブジェとしての体裁も整い、部屋の雰囲気の調和を一層図ることができる。
【００１４】
ここで、湾曲した板体の面を定義しておくと、上方からみて中央部が前方に湾曲している場合を基準として、その前方の面を凸面とし、後方の面を凹面とする。
【００１５】
なお、湾曲した板体の面の向きは特に限定されるものではなく、例えば、凸面を前方に向けても良いし、後方に向けても良いし、斜めに向けてもよい。また、湾曲した板体が複数ある場合において、個々の板体の向きはそれぞれ異なっていてもよい。
【００１６】
前記板体は立設する構成であれば特に限定しないが、請求項３記載の発明のように、前記板体に立設を補助する支持具を設けておけば、板体を安定的に立設させることができる。支持具としては、例えば、磁石の吸引力を利用するもの、または板体の厚さ程度の溝を有する支持台に板体を設置するもの、または板体の背面に支持片を取り付けるもの等が挙げられる。
【００１７】
前記板体は無模様で無彩色であってもかまわないが、請求項４記載の発明のように、前記板体の面に装飾、模様または色彩もしくはこれらの組み合わせを施しておくと、仏壇としての見栄えや商品価値が向上すると共に、インテリアとしての意匠性も高まり、様々な住居空間に調和させることができる。
【００１８】
ここで、板体面とは、板体の表面及び裏面を含む概念であるが、装飾等を施す領域は、表面および裏面の全域であっても勿論よいが、表面または裏面のいずれかの一面でもよく、また各一面の一部に施されていてもよい。なお、装飾等は、住居空間や崇拝対象に合わせて施すことが好ましい。また、面に装飾等を施した板体を複数用意しておくと、好みや気分に合わせて適時、板体を取り替えることができる。
【００１９】
なお、上記の請求項１〜４に記載の発明は、その適用が仏教の特定の宗派に限定されるものではなく、様々な宗派に対しても適用することができる。この場合、それらの様式に合わせて慰霊対象や板体の装飾等を構成すればよい。同様に、キリスト教など他の宗教やその宗派または祭事等にも適用することができる。また、ペットを供養する仏壇としても適用可能である。
【発明の効果】
【００２０】
本発明のうち請求項１記載の発明は、複数枚の板体を、間隔を保って立設し、板体のうち最前の板体の表側の面または最前の板体の前方の空間をもって慰霊空間を形成し、この慰霊空間には慰霊対象を備え、前記複数枚の板体のうち、少なくとも一枚を移動して慰霊対象を隠すことによってインテリアとしても利用できることを特徴とするものであり、これによって拝礼態勢が整うと共に仏壇の小型化および構成の簡素化を実現できる。また、移動や収納が容易となると共に非常設型として使用することができ、使用時においては慰霊空間を手軽にすばやく構築することができる。さらに、板体の材質、形状または板体の配置構成を、住居空間に合わせて設定することが可能であるため、様々な住居空間に調和させることができる。
【００２１】
また、前記板体のうち、少なくとも一枚を移動させて慰霊対象等を隠すことによって、インテリアとしても使用できる。例えば、仏壇を使用していない状況においては、インテリアとして使用することで住居空間との調和を図ることができる。また、仏壇の存在を急に伏せたい状況にあっては、収納するまでもなく素早く容易に慰霊対象等を隠すことができる。
【００２２】
本発明のうち請求項２記載の発明においては、前記板体のうち少なくとも一枚を、上方から見て前後方向に湾曲させることにより、板体を安定的に立設させることができる。
【００２３】
また、慰霊対象等を隠した状態において、隠された慰霊対象は、正面方向だけではなく、ある程度左右からも見えなくなり、隠れる範囲が広がる。さらに、インテリアやオブジェとしての体裁も整い、部屋の雰囲気の調和を一層図ることができる。
【００２４】
本発明のうち請求項３に係わる発明によると、板体に立設を補助する支持具を設けることにより、立設の安定性を向上させることができる。
【００２５】
本発明のうち請求項４記載の仏壇によると、前記板体の面に、装飾、模様又は色彩もしくはこれらの組み合わせ等を施すことによって、仏壇としての見栄えや商品価値が向上すると共に、インテリアとしての意匠性も高まり、種々の住居空間に調和させることができる。また、他の宗教等、様々な拝礼対象・儀式に本発明を適用することができる。
【発明を実施するための最良の形態】
【００２６】
以下、本発明の実施形態について添付図面を参照して説明する。まず、本発明に係る仏壇の第１実施形態について図１及び図２を参照して説明する。ここで、図１は使用時の仏壇の斜視図であり、図２は慰霊対象等を隠した場合の斜視図である。
【００２７】
仏壇は、前後方向に間隔を保って立設する第１板体１、第２板体２および慰霊対象３（例えば唱名、「南無阿弥陀仏」）により構成されている。板体の材料としてはアルミを使用し、板体の面形状は方形とし、上方から見た形状は前後方向に湾曲するように加工してある。ここで、第1板体１は第２板体２より一回り小さく形成してある。また、第１板体１の凹面の中央部には慰霊対象３が接着してある。
【００２８】
なお、ここでは図示していないものの、住居空間や拝礼対象に合わせて板体に装飾、模様又は色彩等を施すことができる。
【００２９】
本実施形態の仏壇は次のように使用する。仏壇の使用時は、図１に示すように、第１板体１を前方に立設させ、その後方に間隔を保って第２板体２を立設させる。次いで、第１板体１の前面に具足等の仏具４を配置することにより仏壇が構築される。ここで、両方の板体は、凹面を前方に向けて設置している。ただし、第２板体２の面の向きに関しては特に限定されるものではなく、凸面を前方に向けて配置しても良い。以上のように構成された仏壇対し、従来の仏壇と同様に拝礼等を行うという形で使用するものである。
【００３０】
また、図２に示すように、第１板体１を仏具４等の前面に配置し、かつ慰霊対象３の付いた面（凹面）を後側に向けると、前方から見て慰霊対象３および仏具４等が隠れることとなり、インテリアやオブジェとして使用することができる。例えば、仏壇を使用しない場合には、インテリアとして使用することで住居空間に調和させておくことができる。また、仏壇を急に伏せなければならない状況にあっても、仕舞わなくても常設状態で素早く手軽に慰霊対象３および仏具４を隠すことができる。なお、このような慰霊対象等を隠す機能を発揮するためには、慰霊対象等を隠す板体は、不透明の素材で形成することが望ましい。
【００３１】
以上の本発明に係わる仏壇は、常設として使用してもよいし、不使用時には収納してもよい。一旦収納した仏壇を使用する場合には、上記のように仏壇を構築すればよい。
【００３２】
本発明に係わる仏壇の第２実施形態として、使用時の仏壇の斜視図を図３に示し、慰霊対象等を隠した状態の斜視図を図４に示す。第２実施形態は第１実施形態のものに加えて位牌１３を備え、更に慰霊対象３を付加したものであり、故人を偲ぶ場合の形態である。基本的には、第１実施形態と同様であるため、説明は省略する。
【００３３】
本発明に係わる仏壇の第３実施形態について、図５に斜視図を示し、図６に図５の拡大図を示す。この形態は第１または第２実施形態に加えて、磁性体で形成した板状またはシート状の下敷５を備え、板体１、２の底部に設けた数箇所の孔に磁石６を充填したものである。
【００３４】
第３実施形態は、下敷５上で板体１、２を立設させて使用するものであり、磁力６の吸引力により板体１，２の底部が下敷５に吸着するため、板体の立設の安定性が向上する。なお、必ずしも下敷５を用いる必要はなく、板体１，２の配置面が磁性体であれば同様の効果が得られる。
【００３５】
磁石６の数については、立設の安定度合いに応じて適切に決定すればよい。また、磁石６の備え方については、板体の底面全体にシート状の磁石を貼り付けるものであってもよい。なお、この実施形態は、板体１，２と下敷５との間に磁石による吸引力が働くような構成であればよく、下敷５に磁石６を設け、板体１，２に磁性体を設けてもよい。
【００３６】
図７及び図８は、本発明の第４実施形態を示しており、第１または第２実施形態のものに加えて、板体１，２を嵌め込む溝を有する支持台７を備えたものである。支持台７の溝に板体１，２を嵌め込むことにより、板体の立設を安定させることができる。
【００３７】
なお、図示した板体は平板であるが、板体が湾曲している場合は、それに合わせて湾曲する溝を有する支持台を備えればよい。また、溝の長さや支持台の数は限定されるものではなく、状況に応じて適切に設定できる。また、板体の底部全体または大部分を嵌め込むような溝を有する支持台であってもよい。
【００３８】
図９は本発明の第５実施形態を示しており、第１または第２実施形態のものに加えて板体１，２の後面（背面）に支持片８を設けたものであり、これにより板体を安定的に立設させることができる。
【００３９】
以上の上記実施形態において、板体は上方から見て湾曲した形状のものを用いているが、以下に示す形状に変更して実施することもできる。例えば、上方から見た第１板体１の形状が図１０に示される屈曲形状のものや図１１に示される半円形状のもの、または図１２に示される波型形状のものを用いることができる。ここでは、第１板体１の形状のみ変化させたものを図示したが、第２板体２等、他の板体の形状も変更してもよく、また複数の板体を同一の形状とする必要もない。なお、個々の板体の形状については、特にこれらのものに限定されるものではなく、種々変更可能である。
【図面の簡単な説明】
【００４０】
【図１】本発明の第１実施形態を示す斜視図である。
【図２】第１実施形態において、仏壇を隠した状態を示す斜視図である。
【図３】本発明の第２実施形態を示す斜視図である。
【図４】第２実施形態において、仏壇を隠した状態を示す斜視図である。
【図５】本発明の第３実施形態を示す斜視図である。
【図６】図５において一点鎖線で示された範囲Ａを拡大した斜視図である。
【図７】本発明の第４実施形態を示す斜視図である。
【図８】本発明の第４実施形態における支持具を示す斜視図である。
【図９】本発明の第５実施形態の背面を示す斜視図である。
【図１０】上方から見た板体の形状についての変更例を示す斜視図である。
【図１１】上方から見た板体の形状についての変更例を示す斜視図である。
【図１２】上方から見た板体の形状についての変更例を示す斜視図である。
【符号の説明】
【００４１】
Ｇ  慰霊空間
１  第１板体（板体）
２  第２板体（板体）
３  慰霊対象
５  下敷
６  磁石
７  支持台
８  支持片
１３  位牌（慰霊対象）
【図１】
0005305326.tif 000002
【図２】
0005305326.tif 000003
【図３】
0005305326.tif 000004
【図４】
0005305326.tif 000005
【図５】
0005305326.tif 000006
【図６】
0005305326.tif 000007
【図７】
0005305326.tif 000008
【図８】
0005305326.tif 000009
【図９】
0005305326.tif 000010
【図１０】
0005305326.tif 000011
【図１１】
0005305326.tif 000012
【図１２】
0005305326.tif 000013